(57)【特許請求の範囲】
【請求項１】
放電灯と、直流電力を供給する直流電源と、前記直流電源からの直流電力を利用して前記放電灯に対する点灯維持用の低電圧を発生させる点灯回路と、前記低電圧を利用して前記放電灯に対する点灯開始用の高電圧を発生させる高電圧回路とを備えた放電灯照明装置において、
前記高電圧回路は、当該回路内の前記放電灯に至る両通電ラインとグランドラインとの間に各々接続されたコンデンサを前記点灯回路による低電圧側に配置したフィルタ回路を有して、外面がシールド構造であるソケットに内蔵され、前記点灯回路と前記高電圧回路とは分離構造になっており、
前記フィルタ回路は、前記両通電ラインの一方に介在するインダクタを有し、前記両通電ラインの他方には、前記高電圧を発生させるためのトランスの高圧側巻線部が介在する
こと特徴とする放電灯照明装置。
【請求項２】
前記点灯回路は、所定の駆動周波数で動作するインバータであり、前記フィルタ回路を構成する素子の共振周波数は、前記駆動周波数に応じて設定されていることを特徴とする請求項１記載の放電灯照明装置。
【請求項３】
前記共振周波数は、前記駆動周波数の３．２×１０５倍以上であることを特徴とする請求項２記載の放電灯照明装置。
【請求項４】
前記コンデンサは、８０〜２００ＭＨｚ以上の共振周波数を有し、前記インダクタは、１００ＭＨｚ以上の共振周波数を有すること特徴とする請求項２記載の放電灯照明装置。
【発明の詳細な説明】
【技術分野】
【０００１】
本発明は、例えば車両等で使用され、放電灯、直流電源、点灯回路及び高電圧回路等を備える放電灯照明装置に関するものである。
【背景技術】
【０００２】
従来より、放電灯照明装置は、様々な用途に使用されているが、例えば放電灯としてのヘッドランプにガス放電灯が使用され車両に搭載されるものがある。このような放電灯照明装置では、放電灯が点灯の際に電磁波を周囲に放射することから、この電磁放射によるノイズを特に車両内の電気系統に伝播させないための種々の対策が施されている。
【０００３】
例えば、ガス放電灯と安定器との間のガス放電灯近傍に、ガス放電灯の電磁放射によるノイズを安定器側に伝播させないためのフィルタネットワーク（フィルタ回路）を具備した車両用ヘッドライトが開示されている（例えば、特許文献１参照）。
【０００４】
また、電磁放射によるノイズの伝播阻止用のコンデンサやインダクタンス等のフィルタ回路がコネクタ内に収納されたものも開示されている（例えば、特許文献２参照）。
【０００５】
このような従来の放電灯照明装置では、フィルタ回路は、安定器等（高電圧回路）の出力側における放電灯近傍に設けられ、これにより、電磁放射によるノイズの伝播を極力根元で阻止して、大きな効果を得るようにしている。
【特許文献１】特開平７−９４２９１号公報
【特許文献２】特開平８−２６４２４５号公報
【発明の開示】
【発明が解決しようとする課題】
【０００６】
しかしながら、上記のような従来の放電灯照明装置では、フィルタ回路は、いずれも高電圧回路外の出力側に設けられていた。また、上記特開平７−９４２９１号及び特開平８−２６４２４５号公報記載のものでは、電磁放射によるノイズの伝播阻止用のフィルタ回路が放電灯近傍に設けられていることから、フィルタ回路のコンデンサ等にも放電灯に印加される高電圧がそのまま印加されるので、コストアップにつながる種々の高電圧対策を施す必要が生じてくる。例えば、フィルタ回路用の素子やソケット等の形状を大きくせざるを得ないばかりか、フィルタ回路の素子やラインに対して、安全規格上の特別な対策、例えば絶縁距離の確保や充填等による絶縁対策が必要になる。
【０００７】
本発明は、上記事情に鑑みてなされたものであり、放電ランプの電磁放射による高周波ノイズの点灯回路側への伝播を阻止し得るとともに、フィルタ回路の配置が高電圧回路外の出力側に制限されない放電灯照明装置を提供することを目的とする。また、本発明は、フィルタ回路に対する種々の高電圧対策を不要にし得る放電灯照明装置を提供することを目的とする。
【課題を解決するための手段】
【０００８】
請求項１の発明は、放電灯と、直流電力を供給する直流電源と、前記直流電源からの直流電力を利用して前記放電灯に対する点灯維持用の低電圧を発生させる点灯回路と、前記低電圧を利用して前記放電灯に対する点灯開始用の高電圧を発生させる高電圧回路とを備えた放電灯照明装置において、前記高電圧回路は、当該回路内の前記放電灯に至る両通電ラインとグランドラインとの間に各々接続されたコンデンサを前記点灯回路による低電圧側に配置したフィルタ回路を有して、外面がシールド構造であるソケットに内蔵され、前記点灯回路と前記高電圧回路とは分離構造になっており、前記フィルタ回路は、前記両通電ラインの一方に介在するインダクタを有し、前記両通電ラインの他方には、前記高電圧を発生させるためのトランスの高圧側巻線部が介在すること特徴とする。
【０００９】
この発明によれば、フィルタ回路が高電圧回路内に設けられているので、放電ランプの電磁放射による高周波ノイズの点灯回路側への伝播が阻止されるようになる他、フィルタ回路の配置が高電圧回路外の出力側に制限されなくなる。さらに、フィルタ回路が有するコンデンサが、高電圧回路内における点灯回路による低電圧側に位置するので、コンデンサに高電圧が印加されることがなく、フィルタ回路に対する種々の高電圧対策が不要となる。また、放電ランプから点灯回路側への高周波ノイズの伝播が、コンデンサによって阻止される他、両通電ラインの各々に介在するインダクタ及び高圧側巻線部によってさらに阻止されるようになる。
【００１０】
請求項２の発明は、請求項１において、前記点灯回路は、所定の駆動周波数で動作するインバータであり、前記フィルタ回路を構成する素子の共振周波数は、前記駆動周波数に応じて設定されていることを特徴とする。
【００１１】
この発明によれば、放電ランプから点灯回路側への高周波ノイズの伝播がより好適に阻止されるようになる。
【００１２】
請求項３の発明は、請求項２において、前記共振周波数は、前記駆動周波数の３．２×１０５倍以上であることを特徴とする。
【００１３】
この発明によれば、放電ランプから点灯回路側への高周波ノイズの伝播がより好適に阻止されるようになる。
【００１４】
請求項４の発明は、請求項２において、前記コンデンサは、８０〜２００ＭＨｚ以上の共振周波数を有し、前記インダクタは、１００ＭＨｚ以上の共振周波数を有すること特徴とする。
【００１５】
この発明によれば、放電ランプから点灯回路側への高周波ノイズの伝播がより好適に阻止されるようになる。
【発明の効果】
【００１６】
以上説明したように、本発明では、放電ランプの電磁放射による高周波ノイズの点灯回路側への伝播を阻止することが可能であるとともに、フィルタ回路の配置が高電圧回路外の出力側に制限されず、フィルタ回路に対する種々の高電圧対策を不要にすることができるという効果がある。また、放電ランプから点灯回路側への高周波ノイズの伝播が、コンデンサによって阻止される他、両通電ラインの各々に介在するインダクタ及び高圧側巻線部によってさらに阻止されるようになる。
【発明を実施するための最良の形態】
【００１７】
以下、本発明の実施の形態を図面に基づいて説明する。
【００１８】
（第１実施形態）
図１は、本発明の第１実施形態を示す概略構成図である。放電灯照明装置は、例えばヘッドランプに放電灯１４が使用され図略の車両に搭載されるもので、従来と同様、直流電力を供給する直流電源１１、直流電源１１からの直流電力を利用して放電灯１４に対する点灯維持用の低電圧を発生させる点灯回路１２及び高強度放電ランプ（High-Intensity Discharge Lamp ）等の放電灯１４を有する他、本第１実施形態では、図１に示す構成の高電圧回路１３を具備している。なお、点灯回路１２は、所定の駆動周波数で動作するインバータである。また、点灯回路１２と高電圧回路１３とは、分離構造になっている。
【００１９】
この高電圧回路１３は、点灯回路１２からの低電圧を利用して放電灯１４に対する点灯開始用の高電圧を発生させる起動回路１３１及びトランス１３２を有するとともに、当該高電圧回路１３内の放電灯１４に至る両通電ラインＰＬ１，ＰＬ２の各々と電源のグランドライン（車両のフレームやシャーシ等を含む。）との間に接続されたコンデンサＣ１，Ｃ２によって構成されるフィルタ回路を具備している。このフィルタ回路は、起動回路１３１及びトランス１３２に対して点灯回路１２側に設けられ、また、高電圧を発生させるためのトランス１３２の高圧側巻線部１３２ａは、両通電ラインＰＬ１，ＰＬ２のうちの通電ラインＰＬ１に介在し、点灯回路１２からの低電圧に高電圧を重畳させる構成になっている。
【００２０】
次に、本実施形態の作用について説明すると、放電灯１４から両通電ラインＰＬ１，ＰＬ２に伝播してくる電磁放射によるノイズ信号は、一方のみの通電ラインＰＬ１上のノイズ信号の高周波成分がトランス１３２の高圧側巻線部１３２ａによって減衰される。次いで、起動回路１３１の入力端を通過してコンデンサＣ１，Ｃ２に伝播してきたノイズ信号は、高周波成分がコンデンサＣ１，Ｃ２を経由してグランドラインに落とされる。これにより、放電灯１４の電磁放射によるノイズの点灯回路１２への伝播が阻止されることとなる。
【００２１】
また、高電圧回路１３を内蔵するソケット１７が設けられており、これにより、組付作業が容易となる。なお、ソケット１７の外面をシールド構造にするようにしてもよい。
【００２２】
以上、本実施形態によれば、上記フィルタ回路を構成する素子のうち、電圧が印可される回路配置のコンデンサＣ１，Ｃ２は、起動回路１３１及びトランス１３２に対して点灯回路１２の低電圧側に設けられており、起動回路１３１及びトランス１３２で得られる高電圧が印可されることがないので、フィルタ回路に対する種々の高電圧対策は不要となる。この結果、フィルタ回路に小型で低コストの素子が利用可能となる。
【００２３】
（第２実施形態）
図２は、ソケット１７に内蔵する高電圧回路として、第１実施形態と構成が異なる高電圧回路２３を示している。高電圧回路２３は、起動回路１３１及びトランス１３２を有するとともに、第１実施形態と同じ回路配置のコンデンサＣ１，Ｃ２と、コンデンサＣ１から図外の点灯回路１２側に至る通電ラインＰＬ１に介設されたインダクタＬ１と、コンデンサＣ２から点灯回路１２側に至る通電ラインＰＬ２に介設されたインダクタＬ２とによって構成されるフィルタ回路を具備している。
【００２４】
次に、本第２実施形態の作用について説明すると、放電灯１４から両通電ラインＰＬ１，ＰＬ２に伝播してくる電磁放射によるノイズ信号は、一方のみの通電ラインＰＬ１上のノイズ信号の高周波成分がトランス１３２の高圧側巻線部１３２ａによって減衰される。次いで、起動回路１３１の入力端を通過してコンデンサＣ１，Ｃ２に伝播してきたノイズ信号は、高周波成分がコンデンサＣ１，Ｃ２を経由してグランドラインに落とされる。さらにこれらのコンデンサＣ１，Ｃ２を通過して点灯回路１２に向かって両通電ラインＰＬ１，ＰＬ２を伝播するノイズ信号は、それぞれ高周波成分がインダクタＬ１，Ｌ２によって減衰される。これにより、放電灯１４の電磁放射によるノイズの点灯回路１２への伝播が阻止されることとなる。
【００２５】
以上、本実施形態によれば、放電灯１４からの電磁放射の伝播をより好適に阻止することができる。
【００２６】
（第３実施形態）
図３は、ソケット１７に内蔵する高電圧回路として、第１実施形態と構成が異なる高電圧回路３３を示している。高電圧回路３３は、起動回路１３１及びトランス１３２を有するとともに、第１実施形態と同じ回路配置のコンデンサＣ１，Ｃ２と、コンデンサＣ１から起動回路１３１側に至る通電ラインＰＬ１に介設されたインダクタＬ１と、コンデンサＣ２から起動回路１３１側に至る通電ラインＰＬ２に介設されたインダクタＬ２とによって構成されるフィルタ回路を具備している。
【００２７】
次に、本第３実施形態の作用について説明すると、放電灯１４から両通電ラインＰＬ１，ＰＬ２に伝播してくる電磁放射によるノイズ信号は、一方のみの通電ラインＰＬ１上のノイズ信号の高周波成分がトランス１３２の高圧側巻線部１３２ａによって減衰される。次いで、起動回路１３１の入力端を通過して両通電ラインＰＬ１，ＰＬ２を伝播するノイズ信号は、それぞれ高周波成分がインダクタＬ１，Ｌ２によって減衰される。さらにコンデンサＣ１，Ｃ２に伝播してきたノイズ信号は、高周波成分がコンデンサＣ１，Ｃ２を経由してグランドラインに落とされる。これにより、放電灯１４の電磁放射によるノイズの点灯回路１２への伝播が阻止されることとなる。
【００２８】
以上、本実施形態によれば、放電灯１４からの電磁放射の伝播をより好適に阻止することができる。
【００２９】
（第４実施形態）
図４は、ソケット１７に内蔵する高電圧回路として、第１実施形態と構成が異なる高電圧回路４３を示している。高電圧回路４３は、起動回路１３１及びトランス１３２を有するとともに、第１実施形態と同じ回路配置のコンデンサＣ１，Ｃ２と、起動回路１３１及びトランス１３２に対して放電灯１４側の両通電ラインＰＬ１，ＰＬ２にそれぞれ介設されたインダクタＬ１，Ｌ２とによって構成されるフィルタ回路を具備している。
【００３０】
次に、本第４実施形態の作用について説明すると、放電灯１４から両通電ラインＰＬ１，ＰＬ２に伝播してくる電磁放射によるノイズ信号は、それぞれ高周波成分がインダクタＬ１，Ｌ２により減衰される。この後、一方のみの通電ラインＰＬ１上のノイズ信号の高周波成分がトランス１３２の高圧側巻線部１３２ａにより減衰される。次いで、起動回路１３１の入力端を通過してコンデンサＣ１，Ｃ２に伝播してきたノイズ信号は、高周波成分がコンデンサＣ１，Ｃ２を経由してグランドラインに落とされる。これにより、放電灯１４の電磁放射によるノイズの点灯回路１２への伝播が阻止されることとなる。
【００３１】
以上、本実施形態によれば、放電灯１４からの電磁放射の伝播をより好適に阻止することができる。
【００３２】
また、後述する好適条件が、高電圧回路４３のフィルタ回路内の素子に対して付加されてもよい。好適条件は、上記フィルタ回路を構成する素子の周波数特性に着目し、この周波数特性と電磁放射の伝播阻止効果との関連性を評価して得られたものであり、評価結果について説明すると、素子の共振周波数が、点灯回路１２の駆動周波数（放電灯１４の特性を含む。）の３．２×１０５倍以上であれば、放電灯１４からの電磁放射の伝播がより好適に阻止されることが分かった。
【００３３】
これを高電圧回路４３のフィルタ回路に適用すると、コンデンサＣ１，Ｃ２が８０〜２００ＭＨｚ以上、インダクタＬ１，Ｌ２が１００ＭＨｚ以上の共振周波数を有するものであれば、放電灯１４からの電磁放射の伝播がより好適に阻止されることとなる。これにより、２０ＭＨｚ以上の電磁妨害波が低減されるようになった。
【００３４】
（第５実施形態）
図５は、ソケット１７に内蔵する高電圧回路として、第１実施形態と構成が異なる高電圧回路５３を示している。高電圧回路５３は、起動回路１３１及びトランス１３２を有するとともに、第１実施形態と同じ回路配置のコンデンサＣ１，Ｃ２と、起動回路１３１及びトランス１３２に対して放電灯１４側の通電ラインＰＬ２に介設されたインダクタＬ２とによって構成されるフィルタ回路を具備している。
【００３５】
次に、本第５実施形態の作用について説明すると、放電灯１４から両通電ラインＰＬ１，ＰＬ２に伝播してくる電磁放射によるノイズ信号は、それぞれ高周波成分がトランス１３２の高圧側巻線部１３２ａ及びインダクタＬ２により減衰される。次いで、起動回路１３１の入力端を通過してコンデンサＣ１，Ｃ２に伝播してきたノイズ信号は、高周波成分がコンデンサＣ１，Ｃ２を経由してグランドラインに落とされる。これにより、放電灯１４の電磁放射によるノイズの点灯回路１２への伝播が阻止されることとなる。
【００３６】
以上、本実施形態によれば、トランス１３２の高圧側巻線部１３２ａを利用しつつ、放電灯１４からの電磁放射の伝播をより好適に阻止することができる。
【図面の簡単な説明】
【００３７】
【図１】本発明の第１実施形態を示す概略構成図である。
【図２】本発明の第２実施形態を示す概略構成図である。
【図３】本発明の第３実施形態を示す概略構成図である。
【図４】本発明の第４実施形態を示す概略構成図である。
【図５】本発明の第５実施形態を示す概略構成図である。
【符号の説明】
【００３８】
１１  直流電源
１２  点灯回路
１３  高電圧回路
１４  放電灯
１７  ソケット
Ｃ１，Ｃ２  コンデンサ
ＰＬ１，ＰＬ２  通電ライン
１３１  起動回路
１３２  トランス
１３２ａ  高圧側巻線部
【図１】
0004825121.tif 000002
【図２】
0004825121.tif 000003
【図３】
0004825121.tif 000004
【図４】
0004825121.tif 000005
【図５】
0004825121.tif 000006